(57)【要約】  本発明は化粧品容器に関し、本発明による化粧品容器は第１収納部を有する第１ケーシング、前記第１ケーシングと摺動可能に連結されて前記第１収納部を開閉し、第２収納部を有する第２ケーシング、そして前記第２ケーシングと連結して前記第２収納部を開閉する第３ケーシングを含み、前記第２ケーシングを前記第１ケーシングに対して摺動させて前記第１収納部を開けると、同時に前記第３ケーシングも上に上がって前記第２収納部が同時に開かれる。【選択図】図２
2009527317.tif 000002
【特許請求の範囲】
【請求項１】
第１収納部を有する第１ケーシング、
前記第１ケーシングと摺動可能に連結されて前記第１収納部を開閉し、第２収納部を有する第２ケーシング、
そして前記第２ケーシングと連結して前記第２収納部を開閉する第３ケーシングを含み、
前記第２ケーシングを前記第１ケーシングに対して摺動させて前記第１収納部を開けると、同時に前記第３ケーシングも上に上がって前記第２収納部が共に開かれる
ことを特徴とする化粧品容器。
【請求項２】
第１ケーシングは、下部底部と、前記下部底部の周縁から直立延長された下部側壁部とを含み、
第２ケーシングは、上部底部と、前記上部底部の周縁から直立延長された上部側壁部とを含み、
第３ケーシングは、前記第２ケーシングの第２収納部を覆うカバー本体部と、前記カバー本体部の周縁から伸びて前記第２収納部に挿入されるカバー側壁部とを含む
ことを特徴とする請求項１に記載の化粧品容器。
【請求項３】
第３ケーシングのカバー本体部前面には鏡が設けられた
ことを特徴とする請求項２に記載の化粧品容器。
【請求項４】
第１ケーシングは、第１ガイドレール及び第１ガイドバーをさらに含み、
第２ケーシングは、第２ガイドレール及び第２ガイドバーをさらに含み、
前記第１ガイドバーは前記第２ガイドレールと連結し、前記第２ガイドバーは前記第１ガイドレールと連結した
ことを特徴とする請求項３に記載の化粧品容器。
【請求項５】
第１ガイドバー及び第２ガイドバーは、第１ケーシングと第２ケーシングとが摺動する方向を基準に互いに反対になる両側に対応してそれぞれ形成された
ことを特徴とする請求項４に記載の化粧品容器。
【請求項６】
第２ガイドバーは、第２ケーシングの上部底部から第１ケーシングの下部側壁部に向かって突き出された突起部と、前記突起部の端部から切曲延長されたフック部とを含む
ことを特徴とする請求項４に記載の化粧品容器。
【請求項７】
第１ガイドレールは、突起部が挿入される突起挿入部と、フック部がかかるフック掛かり部とを含む
ことを特徴とする請求項６に記載の化粧品容器。
【請求項８】
第１ガイドバーは、第１ケーシングの下部側壁部から第２ケーシングの上部底部に向かって突き出された棒部と、棒部の端部から第２ガイドレールの長さ方向と交差する方向に突出延長された掛かり軸とを含む
ことを特徴とする請求項４に記載の化粧品容器。
【請求項９】
第２ガイドレールは、棒部が挿入される棒挿入部と、掛かり軸が嵌合される軸ガイド溝とを含む
ことを特徴とする請求項８に記載の化粧品容器。
【請求項１０】
第２ケーシングは、第２収納部の内側側面から相互対向突出した一対の回転軸をさらに含み、
第３ケーシングは、カバー側壁部の一側端部に前記回転軸と連結するように形成された軸収容部をさらに含む
ことを特徴とする請求項９に記載の化粧品容器。
【請求項１１】
第３ケーシングは、第１ケーシングと前記第２ケーシングとが摺動する方向に平行なカバー側壁部に形成された乗降レールをさらに含み、
第１ガイドバーの掛かり軸は、第２ガイドレールの軸ガイド溝を貫通して前記乗降レールに連結される
ことを特徴とする請求項１０に記載の化粧品容器。
【請求項１２】
第１ケーシングの第１ガイドバーが第２ケーシングの第２ガイドレールに沿って移動して第１収納部が開かれると、前記第１ガイドバーの掛かり軸が同時に第３ケーシングの乗降レールに沿って移動しながら前記第３ケーシングが軸収容部を中心に回転して第２収納部も共に開かれる
ことを特徴とする請求項１１に記載の化粧品容器。
【請求項１３】
第１ケーシングの第１ガイドバーが第２ケーシングの第２ガイドレールに沿って移動して第１収納部が閉められると、前記第１ガイドバーの掛かり軸が同時に第３ケーシングの乗降レールに沿って移動しながら前記第３ケーシングが軸収容部を中心に回転して第２収納部も共に閉じられる
ことを特徴とする請求項１２に記載の化粧品容器。
【請求項１４】
第３ケーシングの乗降レールと第２ケーシングの上部底部との間の距離は漸進的に変わる
ことを特徴とする請求項１１に記載の化粧品容器。
【請求項１５】
乗降レールは、軸収容部から最も遠い部分が上部底部とも最も遠く形成された
ことを特徴とする請求項１４に記載の化粧品容器。
【請求項１６】
乗降レールに連結された第１ガイドバーの掛かり軸が前記乗降レールから離脱できるように前記乗降レールの周縁に離脱口が形成された
ことを特徴とする請求項１１に記載の化粧品容器。
【請求項１７】
離脱口は、乗降レールで軸収容部から遠い側の周縁に形成された
ことを特徴とする請求項１６に記載の化粧品容器。
【請求項１８】
第３ケーシングが軸収容部を中心に回転して第２収納部が開かれると、鏡は一定の傾斜角を有する
ことを特徴とする請求項１０に記載の化粧品容器。
【請求項１９】
鏡は、第２ケーシングの上部底部に対して３０度から７０度の傾斜角を有する
ことを特徴とする請求項１８に記載の化粧品容器。
【請求項２０】
第２収納部に収納され、第２ケーシングと第３ケーシングとの間に斥力を提供する弾性部材をさらに含む
ことを特徴とする請求項１０に記載の化粧品容器。
【請求項２１】
弾性部材は、ねじれコイルスプリングである
ことを特徴とする請求項２０に記載の化粧品容器。
【請求項２２】
第３ケーシングは、第１ケーシングと第２ケーシングとが互いに摺動する方向に平行なカバー側壁部の軸収容部から遠い周縁に形成された掛かり溝をさらに含む
ことを特徴とする請求項２０に記載の化粧品容器。
【請求項２３】
第１収納部が閉じられた状態で、第１ガイドバーの掛かり軸は第２ガイドレールの軸ガイド溝を貫通して掛かり溝にかかり、
第１ケーシングと第２ケーシングとが互いに摺動して第１収納部が開かれると前記掛かり軸が前記掛かり溝から離脱する
ことを特徴とする請求項２２に記載の化粧品容器。
【請求項２４】
掛かり軸が掛かり溝から離脱すると、第３ケーシングが軸収容部を中心に回転して上がり、第２収納部が開かれる
ことを特徴とする請求項２３に記載の化粧品容器。
【請求項２５】
第２ケーシングは、第２収納部の内側面から突き出されたストッパをさらに含み、
前記ストッパは、第３ケーシングの回転を制限する
ことを特徴とする、請求項２４に記載の化粧品容器。
【請求項２６】
第３ケーシングが軸収容部を中心に回転して第２収納部が開かれると、鏡は一定の傾斜角を有する
ことを特徴とする請求項２５に記載の化粧品容器。
【請求項２７】
鏡は、第２ケーシングの上部底部に対して３０度から７０度の傾斜角を有する
ことを特徴とする請求項２６に記載の化粧品容器。
【請求項２８】
第１収納部が閉じられた状態で第１ケーシングの下部側壁部の一部と、前記下部側壁部の一部に対向する前記第２ケーシングの上部底部の一部とには、それぞれ磁石が設けられた
ことを特徴とする請求項２に記載の化粧品容器。
【請求項２９】
第２収納部が閉じられた状態で第２ケーシングの上部側壁部の一部と、前記上部側壁部の一部に対向する第３ケーシングのカバー側壁部の一部とにはそれぞれ磁石が設けられた
ことを特徴とする請求項２に記載の化粧品容器。
【請求項３０】
第１収納部には粉が収納された
ことを特徴とする請求項１に記載の化粧品容器。
【請求項３１】
第２収納部にはパフが収納された
ことを特徴とする請求項１に記載の化粧品容器。
【発明の詳細な説明】
【技術分野】
【０００１】
本発明は、化粧品容器に関し、より詳しくは収納部の開閉が容易な化粧品容器に関するものである。
【背景技術】
【０００２】
化粧品容器は、コンパクト、アイシャド、ツーウェイケーキ、パウダなどの化粧品とパフを保管して使用者が必要に応じて簡便に化粧品を使用することができる。
【０００３】
化粧品の携帯性が良くなることによって、忙しい日常にて、使用者は交通手段を利用しながら、歩行中または他のことをしながら同時に化粧をする場合が多くなっている。
【０００４】
しかし、従来の化粧品容器は使用者が化粧品容器を開けて閉じる動作が複雑で、鏡を見ながら化粧をすることも不便であった。そのために、他のことをしながら化粧を同時にすることが難しかった。また、複数の収納部を有する化粧品容器の場合にはそれぞれの収納部をいちいち開けて閉じなければならない不便があった。
【０００５】
また、片手のみを利用して化粧品容器を開閉することはほとんど不可能であるので、体の不自由な障害者が利用することも不便であった。
【発明の開示】
【発明が解決しようとする課題】
【０００６】
したがって、本発明の目的は前述した問題を解決するためのもので、簡単な操作で便利に開閉することができる化粧品容器を提供することにある。
【課題を解決するための手段】
【０００７】
前述した目的を達成するために本発明による化粧品容器は、第１収納部を有する第１ケーシング、前記第１ケーシングと摺動可能に連結して前記第１収納部を開閉しながら第２収納部を有する第２ケーシング、そして前記第２ケーシングと連結して前記第２収納部を開閉する第３ケーシングを含み、前記第２ケーシングを前記第１ケーシングに対して摺動させて前記第１収納部を開けると、同時に前記第３ケーシングも上に上がって前記第２収納部が共に開かれる。
【０００８】
前記第１ケーシングは、下部底部と、前記下部底部の周縁から直立延長された下部側壁部とを含み、前記第２ケーシングは、上部底部と、前記上部底部の周縁から直立延長された上部側壁部とを含み、前記第３ケーシングは、前記第２ケーシングの第２収納部を覆うカバー本体部と、前記カバー本体部の周縁から伸びて前記第２収納部に挿入されるカバー側壁部を含むことができる。
【０００９】
前記第３ケーシングのカバー本体部前面には鏡を設けることができる。
【００１０】
前記第１ケーシングは第１ガイドレール及び第１ガイドバーをさらに含み、前記第２ケーシングは第２ガイドレール及び第２ガイドバーをさらに含み、前記第１ガイドバーは前記第２ガイドレールと連結し、前記第２ガイドバーは前記第１ガイドレールと連結できる。
【００１１】
前記第１ガイドバー及び前記第２ガイドバーは、前記第１ケーシングと前記第２ケーシングとが摺動する方向を基準に互いに反対する両側に対応してそれぞれ形成できる。
【００１２】
前記第２ガイドバーは、前記第２ケーシングの上部底部から前記第１ケーシングの下部側壁部に向かって突き出された突起部と、前記突起部の端部から切曲延長されたフック部とを含むことができる。
【００１３】
前記第１ガイドレールは、前記突起部が挿入される突起挿入部と、前記フック部がかかるフック掛かり部とを含むことができる。
【００１４】
前記第１ガイドバーは前記第１ケーシングの下部側壁部から前記第２ケーシングの上部底部に向かって突き出された棒部と、前記棒部の端部から前記第２ガイドレールの長さ方向と交差する方向に突出延長された掛かり軸とを含むことができる。
【００１５】
前記第２ガイドレールは前記棒部が挿入される棒挿入部と、前記掛かり軸が嵌合される軸ガイド溝とを含むことができる。
【００１６】
前記第２ケーシングは、前記第２収納部の内側側面から互いに対向突出した一対の回転軸をさらに含み、前記第３ケーシングは、前記カバー側壁部の一側端部に前記回転軸と連結するように形成された軸収容部をさらに含むことができる。
【００１７】
前記第３ケーシングは、前記第１ケーシングと前記第２ケーシングとが摺動する方向に平行な前記カバー側壁部に形成された乗降レールをさらに含み、前記第１ガイドバーの掛かり軸は、前記第２ガイドレールの軸ガイド溝を貫通して前記乗降レールに連結できる。
【００１８】
前記第１ケーシングの第１ガイドバーが前記第２ケーシングの第２ガイドレールに沿って移動して前記第１収納部が開かれると、前記第１ガイドバーの掛かり軸が同時に前記第３ケーシングの乗降レールに沿って移動しながら前記第３ケーシングが前記軸収容部を中心に回転して前記第２収納部も同時に開くことができる。
【００１９】
前記第１ケーシングの第１ガイドバーが前記第２ケーシングの第２ガイドレールに沿って移動して前記第１収納部が閉められると、前記第１ガイドバーの掛かり軸が同時に前記第３ケーシングの乗降レールに沿って移動しながら前記第３ケーシングが前記軸収容部を中心に回転して前記第２収納部も同時に閉じることができる。
【００２０】
前記第３ケーシングの乗降レールと前記第２ケーシングの上部底部との間の距離は漸進的に変わることができる。
【００２１】
前記乗降レールは、前記軸収容部から最も遠い部分が前記上部底部とも最も遠く形成できる。
【００２２】
前記乗降レールに連結された前記第１ガイドバーの掛かり軸が前記乗降レールから離脱できるように前記乗降レールの周縁に離脱口が形成されてもよい。
【００２３】
前記離脱口は前記乗降レールで前記軸収容部から遠い側の周縁に形成されてもよい。
【００２４】
前記第３ケーシングが前記軸収容部を中心に回転して前記第２収納部が開かれると、前記鏡は一定の傾斜角を有することができる。
【００２５】
前記鏡は、前記第２ケーシングの上部底部に対して３０度から７０度の傾斜角を有することができる。
【００２６】
前記第２収納部に収納され、前記第２ケーシングと前記第３ケーシングとの間に斥力を提供する弾性部材をさらに含むことができる。
【００２７】
前記弾性部材は、ねじれコイルスプリングであり得る。
【００２８】
前記第３ケーシングは、前記第１ケーシングと前記第２ケーシングとが互いに摺動する方向に平行な前記カバー側壁部の前記軸収容部から遠い周縁に形成された掛かり溝をさらに含むことができる。
【００２９】
前記第１収納部が閉じられた状態で、前記第１ガイドバーの掛かり軸は前記第２ガイドレールの軸ガイド溝を貫通して前記掛かり溝にかかり、前記第１ケーシングと前記第２ケーシングとが互いに摺動して前記第１収納部が開かれると、前記掛かり軸が前記掛かり溝で離脱することができる。
【００３０】
前記掛かり軸が前記掛かり溝から離脱すると、前記第３ケーシングが前記軸収容部を中心に回転して上に上がり、前記第２収納部を開くことができる。
【００３１】
前記第２ケーシングは、前記第２収納部の内側面から突き出されたストッパをさらに含み、前記ストッパは、前記第３ケーシングの回転を制限することができる。
【００３２】
前記第３ケーシングが前記軸収容部を中心に回転して前記第２収納部が開かれると、前記鏡は一定の傾斜角を有することができる。
【００３３】
前記鏡は、前記第２ケーシングの上部底部に対して３０度から７０度の傾斜角を有することができる。
【００３４】
前記第１収納部が閉じられた状態で前記第１ケーシングの下部側壁部の一部と、前記下部側壁部の一部に対向する前記第２ケーシングの上部底部の一部とには、それぞれ磁石を設けることができる。
【００３５】
前記第２収納部が閉じられた状態で前記第２ケーシングの上部側壁部の一部と、前記上部側壁部の一部に対向する前記第３ケーシングのカバー側壁部の一部にはそれぞれ磁石を設けることができる。
【００３６】
前記第１収納部には粉を収納でき、前記第２収納部にはパフを収納できる。
【００３７】
したがって、使用者が容易に収納部を開閉することができ、便利に鏡を見ながら化粧することもできる。
【発明の効果】
【００３８】
本発明によると、化粧品容器は、使用者が簡単な動作だけで容易に複数の収納部を開閉することができ、便利に鏡を見ながら化粧することができる。
【００３９】
つまり、使用者が第２ケーシングを押して第１ケーシングに対して摺動させると、第１ケーシング内部の第１収納部と第２ケーシング内部の第２収納部が同時に開かれる。したがって、使用者は簡単な動作だけで複数の収納部を同時に開閉できる。
【００４０】
また、第２ケーシングの第２収納部を覆う第３ケーシングの前面には鏡が付着される。したがって、化粧品容器に収納された化粧品で使用者が化粧する時だけでなく、化粧をせずに鏡のみ使用する時にも容易である。
【００４１】
また、第１収納部及び第２収納部が開かれると第３ケーシングは一定の傾斜角で上に上がる。したがって、化粧品容器に収納された化粧品で化粧をしながら鏡を見ることがさらに便利である。
【発明を実施するための最良の形態】
【００４２】
以下、本発明の実施例による化粧品容器を添付図面を参照して詳しく説明すると次の様である。このような本発明の実施例は単に本発明を例示するものに過ぎず、本発明がこれに限定されるわけではない。
【００４３】
本発明を明確に説明するために説明上不要な部分は省略し、明細書全体にわたって同一または類似の構成要素については同一な参照符号を付けた。
【００４４】
また、説明の前に多様な実施例において同一な構成を有する構成要素に対しては同一な符号を使用して代表的に第１実施例で説明し、その他の実施例では第１実施例と異なる構成についてのみ説明する。
【００４５】
図１及び図２は本発明の第１実施例による化粧品ケース100を示す。
【００４６】
図１に示すように、化粧品容器100は、第１ケーシング10、第１ケーシング10上に形成された第２ケーシング20、第２ケーシング20上を覆う第３ケーシング30、そして第３ケーシング30の前面に付着された鏡50を含む。
【００４７】
図２に示すように、第１ケーシング10は、下部底部11と、下部底部11の周縁から直立延長された下部側壁部12とを含み、これらが形成する第１収納部14を有する。
【００４８】
第２ケーシング20は、上部底部21と、上部底部21の周縁から直立延長された上部側壁部22とを含み、これらが形成する第２収納部24を有する。ここで、第２ケーシング20は第１ケーシング10と摺動可能に連結する。このように、第２ケーシング20が第１ケーシング10に対して摺動されながら、第２ケーシング20の上部底部21が第１ケーシング10の第１収納部14を開閉する。
【００４９】
第３ケーシング30は、第２ケーシング20の第２収納部24を覆うカバー本体部31と、カバー本体部31の周縁から伸びて第２収納部24に挿入されるカバー側壁部32を含む。つまり、第３ケーシング30が第２ケーシング20の第２収納部24を覆うと、カバー側壁部32の外側面は上部側壁部22の内側面と対向する。ここで、第２ケーシング20を第１ケーシング10に対して摺動させて第１収納部14を開けると、同時に第３ケーシング30も上に上がって第２収納部24が同時に開かれる。また、鏡50は第３ケーシング30のカバー本体部31前面に設けられている。
【００５０】
図３及び図４は、それぞれ図１のIII−III及びIV−IVに沿って切断した断面を示す。以下では図３及び図４を参照して第１ケーシング10、第２ケーシング20及び第３ケーシング30の連結構造について詳しく説明する。
【００５１】
図３に示すように、第１ケーシング10は、第１ガイドレール15及び第１ガイドバー16をさらに含み、第２ケーシング20は、第２ガイドレール25及び第２ガイドバー26をさらに含む。ここで、第１ガイドバー16は、第２ガイドレール25と連結し、第２ガイドバー26は、第１ガイドレール15と連結する。その結果、第１ケーシング10及び第２ケーシング20は互いに摺動される。
【００５２】
また、第１ガイドバー16及び第２ガイドバー26は、第１ケーシング10と第２ケーシング20とが互いに摺動する方向（以下、Ｘ軸方向と言う）を基準に互いに反対になる両側に対応してそれぞれ形成される。つまり、第１ケーシング10の第１収納部14が閉じられた時、第１ガイドバー16及び第２ガイドバー26は、それぞれ第１ガイドレール15及び第２ガイドレール25の互いに異なる両端部に対応して位置する。
【００５３】
第２ガイドバー26は第２ケーシング20の上部底部21周縁から第１ケーシング10の下部側壁部12を向かって突き出された突起部261と、突起部261の端部から切曲延長されたフック部262とを含む。つまり、フック部262は、突起部261の端部から突起部261の突出方向及びＸ軸方向とそれぞれ交差する方向（以下、Ｙ軸方向と言う）に延長される。
【００５４】
第１ガイドレール15は、第２ガイドバー26の突起部261が挿入される突起挿入部151と、第２ガイドバー26のフック部262がかかるフック掛かり部252とを含む。また、第１ガイドレール15はＸ軸方向に長さを有する。
【００５５】
第１ガイドバー16は、第１ケーシング10の下部側壁部12から第２ケーシング20の上部底部21周縁に向かって突き出された棒部161と、棒部161の端部から第２ガイドレール25の長さ方向と交差する方向（Ｙ軸方向）に突出延長された掛かり軸162とを含む。
【００５６】
第２ガイドレール25は、第１ガイドバー16の棒部161が挿入される棒挿入部251と、第１ガイドバー16の掛かり軸162が嵌合される軸ガイド溝252を含む。そして、第２ガイドレール25は第１ガイドレール15と平行する。
【００５７】
このような構成によって、第１ガイドバー16は、第２ガイドレール25に連結して第２ガイドレール25に沿って動き、第２ガイドバー26は、第１ガイドレール15に連結して第１ガイドレール15に沿って動く。したがって、第２ケーシング20は、第１ケーシング10と摺動可能に連結される。
【００５８】
図４に示すように、第２ケーシング20は、第２収納部24の内側面から互いに対向突出した一対の回転軸27をさらに含む。そして、第３ケーシング30は、カバー側壁部32の一側端部に第２ケーシング20の回転軸27と回転可能に連結するように形成された軸収容部37をさらに含む。したがって、第３ケーシング30は、軸収容部37を中心に回転軸27に対して回転しながら、第２ケーシング20の第２収納部24を開閉する。
【００５９】
そして、図３に示すように、第３ケーシング30は、Ｘ軸方向と平行なカバー側壁部32に形成された乗降レール35をさらに含む。この時、第１ガイドバー16の掛かり軸162は、第２ガイドレール25の軸ガイド溝252を貫通してその端部が乗降レール35に連結される。
【００６０】
図５及び図６は本発明の第１実施例による化粧品容器100の作動状態を示す側面図である。
【００６１】
図５及び図６に示すように、第３ケーシング30のカバー側壁部32に形成された乗降レール35と第２ケーシング20の上部底部21との間の距離は漸進的に変わるように形成される。つまり、乗降レール35は、軸収容部37から最も遠い部分で上部底部21との距離も最も遠く形成される。これに反し、軸収容部37から近くなるほど乗降レール35は上部底部21と近くなって軸収容部37近くで再び折れて上部底部21と遠くなる。このように乗降レール35の一部が軸収容部37近くで再び折れることは第３ケーシング30が最大にあがった時に安定的に支持するためである。
【００６２】
このような構成によって、第１ケーシング10と第２ケーシング20とが互いに摺動して第１収納部14が開かれると、第３ケーシング30が軸収容部37を中心に回転して上がり、第２収納部24も同時に開かれる。つまり、第１ケーシング10の第１ガイドバー16が第２ケーシング20の第２ガイドレール25に沿って移動して第１収納部14が開かれると、第１ガイドバー16の掛かり軸162が同時に第３ケーシング30の乗降レール35に沿って移動しながら第２収納部24も同時に開かれる。したがって、本発明の実施例による化粧品容器100で第１収納部14が開かれることは、その後直ちに第２収納部24も開かれることを意味する。
【００６３】
これに反し、第１ケーシング10の第１ガイドバー16が第２ケーシング20の第２ガイドレール25に沿って移動して第１収納部14が閉められると、第１ガイドバー16の掛かり軸162が同時に第３ケーシング30の乗降レール35に沿って移動しながら第２収納部24も同時に閉じられる。
【００６４】
また、乗降レール35に連結された第１ガイドバー16の掛かり軸162が乗降レール35から離脱できるように乗降レール35の周縁に離脱口38が形成される。つまり、第１収納部14が閉じられた状態で離脱口38は乗降レール35の周縁から下側（Ｚ軸方向）へ形成される。そして、離脱口38は軸収容部37から遠い側の周縁に形成される。つまり、第１収納部14が閉じられた状態における第１ガイドバー16の掛かり軸162の位置に対応するように形成される。また、第１収納部14が閉じられた状態で第３ケーシング30を上に上げて第２収納部24のみ開けることもできる。離脱口38は、掛かり軸162が簡単に抜けない程度の大きさを有する。したがって、第３ケーシング30が任意に開くことを防止し、使用者が必要に応じて力を与える時にのみ開くようにできる。
【００６５】
また、鏡50が第３ケーシング30のカバー本体部前面に設けられているので、第２収納部24が開かれると、鏡50は一定の傾斜角（θ）に配置される。この時、鏡50が有する傾斜角（θ）は第２ケーシング20の上部底部21に対して３０度から７０度である。
【００６６】
図７を参照して本発明の第１実施例の変形例を説明する。図７は化粧品容器100の側面図を示す。
【００６７】
図７に示すように、化粧品容器100は、第１収納部14が閉じられた状態で第１ケーシング10の下部側壁部12の一部と、これに対向する第２ケーシング20の上部底部21の一部とにそれぞれ付着された磁石61，62を含む。つまり、化粧品容器100は、第１収納部14が閉められると、第１ケーシング10の磁石61と第２ケーシング20の磁石62とが互いに吸着して固定され、任意に第２ケーシング20が第１ケーシング10に対して摺動することにより不要に第１収納部14が開かれることを防止する。使用者は、必要に応じて力を与えて第２ケーシング20を第１ケーシング10に対して摺動させて第１収納部14を開けることができる。
【００６８】
また、化粧品容器100は、第２収納部20が閉じられた状態で、第２ケーシング20の上部側壁部22の一部と、これに対向する第３ケーシング30のカバー側壁部32の一部とにそれぞれ設けられた追加の磁石63，64をさらに含む。つまり、化粧品容器100は第２収納部24が閉められると第２ケーシング20の磁石63と第３ケーシング30の磁石64とが互いに吸着して固定され、任意に第３ケーシング30が上に上がることにより不要に第２収納部24が開かれることを防止する。使用者は必要に応じて力を与えて第２ケーシング20を第１ケーシング10に対して摺動させると、第１収納部14と共に第２収納部24も開けることができ、第１収納部14は、閉じられた状態で第３ケーシング30のみ上に上げて第２収納部24を開けることもできる。
【００６９】
このような本発明の第１実施例による化粧品容器100は、図８に示したように使用することができる。つまり、化粧品容器100は、第１収納部14に粉末化粧品80を収納し、第２収納部24にパフ90を収納する。したがって、使用者が第２ケーシング20を第１ケーシング10に対して摺動させて第１収納部14を開けると、第３ケーシング30が同時に上に上がって第２収納部24も開かれる。また、第３ケーシング30が上に上がって第２収納部24が開かれると、第３ケーシング30の前面に設けられた鏡50は一定の傾斜角を有する。つまり、第１収納部14及び第２収納部24が開かれた状態で使用者が容易に鏡50を見ることができる。
【００７０】
使用者は簡単な動作で第１収納部14及び第２収納部24を同時に明けることができる。そして、簡単に第２収納部24からパフ90を取り出して第１収納部14の粉末化粧品80で化粧ができる。また、第２収納部24を開きながら第３ケーシング30の前面に設けられた鏡50が所定の傾斜角を有するので、鏡50を見ながら第１収納部14に収納された粉末化粧品80で化粧をすることが非常に容易にある。
【００７１】
図９及び図１０を参照して本発明の第２実施例による化粧品容器200を説明する。図９及び図１０は化粧品容器200の作動状態を示す側面図である。
【００７２】
図９及び図１０に示すように、化粧品容器200は第１ケーシング10、第２ケーシング20、第３ケーシング30、鏡50、そして弾性部材70を含む。
【００７３】
第１ケーシング10は、下部底部11と、下部底部11の周縁から直立延長された下部側壁部12とを含み、これらが形成する第１収納部14を有する。
【００７４】
第２ケーシング20は、上部底部21と、上部底部21の周縁から直立延長された上部側壁部22とを含み、これらが形成する第２収納部24を有する。ここで、第２ケーシング20は第１ケーシング10と摺動可能に連結している。このように、第２ケーシング20が第１ケーシング10に対して摺動されながら、第２ケーシング20の上部底部21が第１ケーシング10の第１収納部14を開閉する。
【００７５】
第３ケーシング30は、第２ケーシング20の第２収納部24を覆うカバー本体部31（図２に図示）と、カバー本体部31の周縁から伸びて第２収納部24に挿入されるカバー側壁部32とを含む。つまり、第３ケーシング30が第２ケーシング20の第２収納部24を覆うと、カバー側壁部32の外側面は上部側壁部22の内側面と対向する。ここで、第２ケーシング20を第１ケーシング10に対して摺動させ第１収納部14を開けると、同時に第３ケーシング30も上に上がって第２収納部24が同時に開かれる。そして、鏡50が３ケーシング30のカバー本体部31前面に設けられている。
【００７６】
また、第１ケーシング10は、第１ガイドレール15及び第１ガイドバー16をさらに含み、第２ケーシング20は、第２ガイドレール25及び第２ガイドバー26をさらに含む。ここで、第１ガイドバー16は第２ガイドレール25と連結し、第２ガイドバー26は第１ガイドレール15と連結する。第１ケーシング10と第２ケーシング20とが相互摺動されながら第１収納部14が開閉される。
【００７７】
また、第２ケーシング20は、第２収納部24の内側面から互いに対向突出した一対の回転軸27をさらに含む。そして、第３ケーシング30は、カバー側壁部32の一側端部に第２ケーシング20の回転軸27と回転可能に連結するように形成された軸収容部37をさらに含む。したがって、第３ケーシング30は、軸収容部37を中心に回転軸27に対して回転しながら第２ケーシング20の第２収納部24を開閉する。
【００７８】
弾性部材70は、第２収納部24に収納されて第２ケーシング20と第３ケーシング30とを互いに押し出す。つまり、第２ケーシング20と第３ケーシング30との間に斥力を提供する。ここで、弾性部材70としてはねじれコイルスプリングが使用される。つまり、弾性部材70は第２ケーシング20の回転軸27近くに配置され、第３ケーシング30を軸収容部37を中心に回転させて第２収納部27が開かれる方向に加圧する。
【００７９】
また、第３ケーシング30は、Ｘ軸方向に平行するカバー側壁部32の軸収容部37から遠い周縁に形成された掛かり溝39をさらに含む。そして、第１収納部14が閉じられた状態で第１ガイドバー16の掛かり軸162は第２ガイドレール25の軸ガイド溝252（図４に図示）を貫通して第３ケーシング30の掛かり溝39にかかる。したがって、弾性部材70が第２ケーシング20と第３ケーシング30との間に斥力を与えても、第１収納部14が閉じられた状態で第２収納部24は開かれない。
【００８０】
しかし、第１ケーシング10と第２ケーシング20とが互いに摺動して第１収納部14が開かれると、掛かり軸162も第２ガイドレール25に沿って移動する。掛かり軸162は、第３ケーシング30の掛かり溝39から離脱する。したがって、弾性部材70によって第３ケーシング30は軸収容部37を中心に回転して第２収納部24が開かれる。
【００８１】
また、第２ケーシング20は、第２収納部24の内側面から突き出されたストッパ29をさらに含む。ストッパ29は、第３ケーシング30の回転を制限して第３ケーシング30が一定の傾斜角（θ）を有するようにする。つまり、第２収納部24が開かれた時、第３ケーシング30の前面に付着された鏡50は、第２ケーシング20の上部底部21に対して３０度から７０度の傾斜角（θ）を有するように形成される。
【００８２】
このような構成によって、第１ケーシング10と第２ケーシング20とが互いに摺動して第１収納部14が開かれると、第３ケーシング30が軸収容部37を中心に回転して上がり、第２収納部24も同時に開かれる。つまり、第１ケーシング10の第１ガイドバー16が第２ケーシング20の第２ガイドレール25に沿って移動して第１収納部14が開かれると、第１ガイドバー16の掛かり軸162が第３ケーシング30の掛かり溝39から離脱しながら、弾性部材70によって第２収納部24も同時に開かれる。したがって、使用者は簡単な動作で第１収納部14及び第２収納部24を同時に開けることができる。
【００８３】
本発明を前記のように説明したが、特許請求の範囲の概念と範囲を逸脱しない限り、多様な修正及び変形が可能であるということを本発明が属する技術分野に務める者であれば簡単に理解できる。
【図面の簡単な説明】
【００８４】
【図１】本発明の化粧品容器における第１実施例の斜視図である。
【図２】本発明の化粧品容器における第１実施例の斜視図である。
【図３】図１のIII−III線による断面図である。
【図４】図１のIV−IV線による断面図である。
【図５】図１の化粧品容器の作動状態を示す側面図である。
【図６】図２の化粧品容器の作動状態を示す側面図である。
【図７】本発明の第１実施例の変形例による化粧品容器の側面構成図である。
【図８】図１の化粧品容器が使用される態様を示す斜視図である。
【図９】本発明の第２実施例による化粧品容器の作動状態を示す側面図である。
【図１０】本発明の第２実施例による化粧品容器の作動状態を示す側面図である。
【図１】
2009527317.tif 000003
【図２】
2009527317.tif 000004
【図３】
2009527317.tif 000005
【図４】
2009527317.tif 000006
【図５】
2009527317.tif 000007
【図６】
2009527317.tif 000008
【図７】
2009527317.tif 000009
【図８】
2009527317.tif 000010
【図９】
2009527317.tif 000011
【図１０】
2009527317.tif 000012
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
第１収納部を有する第１ケーシングと、
第２収納部を有し、前記第１ケーシングに摺動可能に連結されて前記第１収納部を開閉する第２ケーシングと、
前記第２ケーシングに連結され前記第２収納部を開閉する第３ケーシングとを備え、
前記第２ケーシングを前記第１ケーシングに対して摺動させることにより、前記第１収納部が開閉されかつ前記第２収納部が開閉される
ことを特徴とする化粧品容器。
【請求項２】
第１ケーシングは、下部底部と、この下部底部の縁から直立延長された下部側壁部とを有し、
第２ケーシングは、上部底部と、この上部底部の縁から直立延長された上部側壁部とを有し、
第３ケーシングは、前記第２ケーシングの第２収納部を覆うカバー本体部と、このカバー本体部の縁から伸びて前記第２収納部に挿入されるカバー側壁部とを有する
ことを特徴とする請求項１に記載の化粧品容器。
【請求項３】
第３ケーシングは、カバー本体部前面に鏡が設けられた
ことを特徴とする請求項２に記載の化粧品容器。
【請求項４】
第１ケーシングは、第１ガイドレール及び第１ガイドバーを有し、
第２ケーシングは、第２ガイドレール及び第２ガイドバーを有し、
前記第１ガイドバーは前記第２ガイドレールと連結し、前記第２ガイドバーは前記第１ガイドレールと連結する
ことを特徴とする請求項１ないし３いずれかに記載の化粧品容器。
【請求項５】
第１ガイドバー及び第２ガイドバーは、第１ケーシングと第２ケーシングとが摺動する方向を基準として互いに反対になる両側に対応してそれぞれ形成された
ことを特徴とする請求項４に記載の化粧品容器。
【請求項６】
第２ガイドバーは、第２ケーシングの上部底部から第１ケーシングの下部側壁部に向かって突出した突起部と、前記突起部の端部から切曲延長されたフック部とを有する
ことを特徴とする請求項４または５に記載の化粧品容器。
【請求項７】
第１ガイドレールは、突起部が挿入される突起挿入部と、フック部が係合されるフック係合部とを有する
ことを特徴とする請求項６に記載の化粧品容器。
【請求項８】
第１ガイドバーは、第１ケーシングの下部側壁部から第２ケーシングの上部底部に向かって突出した棒部と、棒部の端部から第２ガイドレールの長さ方向と交差する方向に突出延長された係合軸とを有する
ことを特徴とする請求項４ないし７いずれかに記載の化粧品容器。
【請求項９】
第２ガイドレールは、棒部が挿入される棒挿入部と、係合軸が係合される軸ガイド溝とを有する
ことを特徴とする請求項８に記載の化粧品容器。
【請求項１０】
第２ケーシングは、第２収納部の内側側面から相互対向突出した一対の回転軸を有し、
第３ケーシングは、カバー側壁部の一側端部に前記回転軸と連結するように形成された軸収容部を有する
ことを特徴とする請求項９に記載の化粧品容器。
【請求項１１】
第３ケーシングは、第１ケーシングと前記第２ケーシングとが摺動する方向に平行なカバー側壁部に形成された乗降レールを有し、
第１ガイドバーの係合軸は、第２ガイドレールの軸ガイド溝を貫通して前記乗降レールに連結される
ことを特徴とする請求項９または１０に記載の化粧品容器。
【請求項１２】
第１ケーシングの第１ガイドバーが第２ケーシングの第２ガイドレールに沿って移動して第１収納部が開かれるとともに、前記第１ガイドバーの係合軸が第３ケーシングの乗降レールに沿って移動しながら前記第３ケーシングが軸収容部を中心に回動して第２収納部が開かれる
ことを特徴とする請求項１１に記載の化粧品容器。
【請求項１３】
第１ケーシングの第１ガイドバーが第２ケーシングの第２ガイドレールに沿って移動して第１収納部が閉められるとともに、前記第１ガイドバーの係合軸が第３ケーシングの乗降レールに沿って移動しながら前記第３ケーシングが軸収容部を中心に回動して第２収納部が閉められる
ことを特徴とする請求項１１または１２に記載の化粧品容器。
【請求項１４】
第３ケーシングの乗降レールと第２ケーシングの上部底部との間の距離は漸進的に変わる
ことを特徴とする請求項１１ないし１３いずれかに記載の化粧品容器。
【請求項１５】
乗降レールは、軸収容部から最も離間した端部が上部底部から最も離間して形成された
ことを特徴とする請求項１４に記載の化粧品容器。
【請求項１６】
乗降レールは、乗降レールに連結された第１ガイドバーの係合軸が前記乗降レールから離脱できるように縁に離脱口が形成された
ことを特徴とする請求項１１ないし１５いずれかに記載の化粧品容器。
【請求項１７】
離脱口は、乗降レールにおける軸収容部から遠い側の縁に形成された
ことを特徴とする請求項１６に記載の化粧品容器。
【請求項１８】
第３ケーシングが軸収容部を中心に回動して第２収納部が開かれると、鏡は第２ケーシングの上部底部に対して一定の傾斜角にて傾斜する
ことを特徴とする請求項１０ないし１７いずれかに記載の化粧品容器。
【請求項１９】
第２収納部が開かれた状態における鏡の第２ケーシングの上部底部に対する傾斜角度は、３０度から７０度である
ことを特徴とする請求項１８に記載の化粧品容器。
【請求項２０】
第２収納部は、第２ケーシングと第３ケーシングとの間に斥力を付与する弾性部材が設けられた
ことを特徴とする請求項１０に記載の化粧品容器。
【請求項２１】
弾性部材は、ねじれコイルスプリングである
ことを特徴とする請求項２０に記載の化粧品容器。
【請求項２２】
第３ケーシングは、第１ケーシングと第２ケーシングとが互いに摺動する方向に平行なカバー側壁部の軸収容部から遠い縁に、第１ガイドバーの係合軸が係合可能な係合溝が形成された
ことを特徴とする請求項２０または２１に記載の化粧品容器。
【請求項２３】
第１ガイドバーの係合軸は、第１収納部が閉められた際に第２ガイドレールの軸ガイド溝を貫通して係合溝と係合し、第１収納部が開かれた際に前記係合溝から離脱する
ことを特徴とする請求項２２に記載の化粧品容器。
【請求項２４】
係合軸が係合溝から離脱すると、第３ケーシングが軸収容部を中心に回動し、第２収納部が開かれる
ことを特徴とする請求項２３に記載の化粧品容器。
【請求項２５】
第２ケーシングは、第２収納部の内側面から突出したストッパが設けられ、
このストッパは、第３ケーシングの回動可能な範囲を制限する
ことを特徴とする請求項２０ないし２４いずれかに記載の化粧品容器。
【請求項２６】
第３ケーシングが軸収容部を中心に回動して第２収納部が開かれると、鏡は第２ケーシングの上部底部に対して一定の傾斜角にて傾斜する
ことを特徴とする請求項２５に記載の化粧品容器。
【請求項２７】
第２収納部が開かれた状態における鏡の第２ケーシングの上部底部に対する傾斜角度は、３０度から７０度である
ことを特徴とする請求項２６に記載の化粧品容器。
【請求項２８】
第１ケーシングの下部側壁部の一部と、第１収納部が閉められた状態における前記下部側壁部の一部に対向する前記第２ケーシングの上部底部の一部とには、それぞれ磁石が設けられた
ことを特徴とする請求項２ないし２７いずれかに記載の化粧品容器。
【請求項２９】
第２ケーシングの上部側壁部の一部と、第２収納部が閉められた状態における前記上部側壁部の一部に対向する第３ケーシングのカバー側壁部の一部とには、それぞれ磁石が設けられた
ことを特徴とする請求項２ないし２８いずれかに記載の化粧品容器。
【請求項３０】
第１収納部には粉末化粧品が収納された
ことを特徴とする請求項１ないし２９いずれかに記載の化粧品容器。
【請求項３１】
第２収納部にはパフが収納された
ことを特徴とする請求項１ないし３０いずれかに記載の化粧品容器。
【手続補正２】
【補正対象書類名】明細書
【補正対象項目名】全文
【補正方法】変更
【補正の内容】
【発明の詳細な説明】
【技術分野】
【０００１】
本発明は、化粧品容器に関し、より詳しくは収納部の開閉が容易な化粧品容器に関するものである。
【背景技術】
【０００２】
化粧品容器は、コンパクト、アイシャド、ツーウェイケーキ、パウダなどの化粧品とパフを保管して使用者が必要に応じて簡便に化粧品を使用することができる。
【０００３】
化粧品の携帯性が良くなることによって、忙しい日常にて、使用者は交通手段を利用しながら、歩行中または他のことをしながら同時に化粧をする場合が多くなっている。
【発明の開示】
【発明が解決しようとする課題】
【０００４】
しかしながら、従来の化粧品容器は、使用者が化粧品容器を開けて閉める動作が複雑で、鏡を見ながら化粧をすることも不便であった。そのために、他のことをしながら化粧を同時にすることが難しかった。また、複数の収納部を有する化粧品容器の場合にはそれぞれの収納部をいちいち開けて閉めなければならない不便があった。
【０００５】
また、片手のみを利用して化粧品容器を開閉することはほとんど不可能であるので、体の不自由な障害者が利用することも不便であった。
【０００６】
本発明はこのような点に鑑みなされたもので、簡単な操作で便利に開閉できる化粧品容器を提供することを目的とする。
【課題を解決するための手段】
【０００７】
請求項１に記載された化粧品容器は、第１収納部を有する第１ケーシングと、第２収納部を有し、前記第１ケーシングに摺動可能に連結されて前記第１収納部を開閉する第２ケーシングと、前記第２ケーシングに連結され前記第２収納部を開閉する第３ケーシングとを備え、前記第２ケーシングを前記第１ケーシングに対して摺動させることにより、前記第１収納部が開閉されかつ前記第２収納部が開閉されるものである。
【０００８】
請求項２に記載された化粧品容器は、請求項１に記載された化粧品容器において、第１ケーシングは、下部底部と、この下部底部の縁から直立延長された下部側壁部とを有し、第２ケーシングは、上部底部と、この上部底部の縁から直立延長された上部側壁部とを有し、第３ケーシングは、前記第２ケーシングの第２収納部を覆うカバー本体部と、このカバー本体部の縁から伸びて前記第２収納部に挿入されるカバー側壁部とを有するものである。
【０００９】
請求項３に記載された化粧品容器は、請求項２に記載された化粧品容器において、第３ケーシングは、カバー本体部前面に鏡が設けられたものである。
【００１０】
請求項４に記載された化粧品容器は、請求項１ないし３いずれかに記載された化粧品容器において、第１ケーシングは、第１ガイドレール及び第１ガイドバーを有し、第２ケーシングは、第２ガイドレール及び第２ガイドバーを有し、前記第１ガイドバーは前記第２ガイドレールと連結し、前記第２ガイドバーは前記第１ガイドレールと連結するものである。
【００１１】
請求項５に記載された化粧品容器は、請求項４に記載された化粧品容器において、第１ガイドバー及び第２ガイドバーは、第１ケーシングと第２ケーシングとが摺動する方向を基準として互いに反対になる両側に対応してそれぞれ形成されたものである。
【００１２】
請求項６に記載された化粧品容器は、請求項４または５に記載された化粧品容器おいて、第２ガイドバーは、第２ケーシングの上部底部から第１ケーシングの下部側壁部に向かって突出した突起部と、前記突起部の端部から切曲延長されたフック部とを有するものである。
【００１３】
請求項７に記載された化粧品容器は、請求項６に記載された化粧品容器において、第１ガイドレールは、突起部が挿入される突起挿入部と、フック部が係合されるフック係合部とを有するものである。
【００１４】
請求項８に記載された化粧品容器は、請求項４ないし７いずれかに記載された化粧品容器において、第１ガイドバーは、第１ケーシングの下部側壁部から第２ケーシングの上部底部に向かって突出した棒部と、棒部の端部から第２ガイドレールの長さ方向と交差する方向に突出延長された係合軸とを有するものである。
【００１５】
請求項９に記載された化粧品容器は、請求項８に記載された化粧品容器において、第２ガイドレールは、棒部が挿入される棒挿入部と、係合軸が係合される軸ガイド溝とを有するものである。
【００１６】
請求項１０に記載された化粧品容器は、請求項９に記載された化粧品容器において、第２ケーシングは、第２収納部の内側側面から相互対向突出した一対の回転軸を有し、第３ケーシングは、カバー側壁部の一側端部に前記回転軸と連結するように形成された軸収容部を有するものである。
【００１７】
請求項１１に記載された化粧品容器は、請求項９または１０に記載された化粧品容器において、第３ケーシングは、第１ケーシングと前記第２ケーシングとが摺動する方向に平行なカバー側壁部に形成された乗降レールを有し、第１ガイドバーの係合軸は、第２ガイドレールの軸ガイド溝を貫通して前記乗降レールに連結されるものである。
【００１８】
請求項１２に記載された化粧品容器は、請求項１１に記載された化粧品容器において、第１ケーシングの第１ガイドバーが第２ケーシングの第２ガイドレールに沿って移動して第１収納部が開かれるとともに、前記第１ガイドバーの係合軸が第３ケーシングの乗降レールに沿って移動しながら前記第３ケーシングが軸収容部を中心に回動して第２収納部が開かれるものである。
【００１９】
請求項１３に記載された化粧品容器は、請求項１１または１２に記載された化粧品容器において、第１ケーシングの第１ガイドバーが第２ケーシングの第２ガイドレールに沿って移動して第１収納部が閉められるとともに、前記第１ガイドバーの係合軸が第３ケーシングの乗降レールに沿って移動しながら前記第３ケーシングが軸収容部を中心に回動して第２収納部が閉められるものである。
【００２０】
請求項１４に記載された化粧品容器は、請求項１１ないし１３いずれかに記載された化粧品容器において、第３ケーシングの乗降レールと第２ケーシングの上部底部との間の距離は漸進的に変わるものである。
【００２１】
請求項１５に記載された化粧品容器は、請求項１４に記載された化粧品容器において、乗降レールは、軸収容部から最も離間した端部が上部底部から最も離間して形成されたものである。
【００２２】
請求項１６に記載された化粧品容器は、請求項１１ないし１５いずれかに記載された化粧品容器において、乗降レールは、乗降レールに連結された第１ガイドバーの係合軸が前記乗降レールから離脱できるように縁に離脱口が形成されたものである。
【００２３】
請求項１７に記載された化粧品容器は、請求項１６に記載された化粧品容器において、離脱口は、乗降レールにおける軸収容部から遠い側の縁に形成されたものである。
【００２４】
請求項１８に記載された化粧品容器は、請求項１０ないし１７いずれかに記載された化粧品容器において、第３ケーシングが軸収容部を中心に回動して第２収納部が開かれると、鏡は第２ケーシングの上部底部に対して一定の傾斜角にて傾斜するものである。
【００２５】
請求項１９に記載された化粧品容器は、請求項１８に記載された化粧品容器において、第２収納部が開かれた状態における鏡の第２ケーシングの上部底部に対する傾斜角度は、３０度から７０度であるものである。
【００２６】
請求項２０に記載された化粧品容器は、請求項１０に記載された化粧品容器において、第２収納部は、第２ケーシングと第３ケーシングとの間に斥力を付与する弾性部材が設けられたものである。
【００２７】
請求項２１に記載された化粧品容器は、請求項２０に記載された化粧品容器において、弾性部材は、ねじれコイルスプリングであるものである。
【００２８】
請求項２２に記載された化粧品容器は、請求項２０または２１に記載された化粧品容器において、第３ケーシングは、第１ケーシングと第２ケーシングとが互いに摺動する方向に平行なカバー側壁部の軸収容部から遠い縁に、第１ガイドバーの係合軸が係合可能な係合溝が形成されたものである。
【００２９】
請求項２３に記載された化粧品容器は、請求項２２に記載された化粧品容器において、第１ガイドバーの係合軸は、第１収納部が閉められた際に第２ガイドレールの軸ガイド溝を貫通して係合溝と係合し、第１収納部が開かれた際に前記係合溝から離脱するものである。
【００３０】
請求項２４に記載された化粧品容器は、請求項２３に記載された化粧品容器において、係合軸が係合溝から離脱すると、第３ケーシングが軸収容部を中心に回動し、第２収納部が開かれるものである。
【００３１】
請求項２５に記載された化粧品容器は、請求項２０ないし２４いずれかに記載された化粧品容器において、第２ケーシングは、第２収納部の内側面から突出したストッパが設けられ、このストッパは、第３ケーシングの回動可能な範囲を制限するものである。
【００３２】
請求項２６に記載された化粧品容器は、請求項２５に記載された化粧品容器において、第３ケーシングが軸収容部を中心に回動して第２収納部が開かれると、鏡は第２ケーシングの上部底部に対して一定の傾斜角にて傾斜するものである。
【００３３】
請求項２７に記載された化粧品容器は、請求項２６に記載された化粧品容器において、第２収納部が開かれた状態における鏡の第２ケーシングの上部底部に対する傾斜角度は、３０度から７０度であるものである。
【００３４】
請求項２８に記載された化粧品容器は、請求項２ないし２７いずれかに記載された化粧品容器において、第１ケーシングの下部側壁部の一部と、第１収納部が閉められた状態における前記下部側壁部の一部に対向する前記第２ケーシングの上部底部の一部とには、それぞれ磁石が設けられたものである。
【００３５】
請求項２９に記載された化粧品容器は、請求項２ないし２８いずれかに記載された化粧品容器において、第２ケーシングの上部側壁部の一部と、第２収納部が閉められた状態における前記上部側壁部の一部に対向する第３ケーシングのカバー側壁部の一部とには、それぞれ磁石が設けられたものである。
【００３６】
請求項３０に記載された化粧品容器は、請求項１ないし２９いずれかに記載された化粧品容器において、第１収納部には粉が収納されたものである。
【００３７】
請求項３１に記載された化粧品容器は、請求項１ないし３０いずれかに記載された化粧品容器において、第２収納部にはパフが収納されたものである。
【発明の効果】
【００３８】
本発明によれば、第２ケーシングを第１ケーシングに対して摺動させることにより、第１収納部が開閉されかつ第２収納部が開閉されるので、簡単な操作で便利に開閉できる。
【発明を実施するための最良の形態】
【００３９】
以下、本発明の実施例による化粧品容器を添付図面を参照して詳しく説明すると次の様である。このような本発明の実施例は単に本発明を例示するものに過ぎず、本発明がこれに限定されるわけではない。
【００４０】
本発明を明確に説明するために説明上不要な部分は省略し、明細書全体にわたって同一または類似の構成要素については同一な参照符号を付けた。
【００４１】
また、説明の前に多様な実施例において同一な構成を有する構成要素に対しては同一な符号を使用して代表的に第１実施例で説明し、その他の実施例では第１実施例と異なる構成についてのみ説明する。
【００４２】
図１及び図２は本発明の第１実施例による化粧品容器100を示す。
【００４３】
図１に示すように、化粧品容器100は、第１ケーシング10と、この第１ケーシング10上に設けられた第２ケーシング20と、この第２ケーシング20上を覆う第３ケーシング30とを備える。また、第３ケーシング30の前面には鏡50が付着されている。
【００４４】
図２に示すように、第１ケーシング10は、下部底部11と、この下部底部11の縁から直立延長された下部側壁部12とを有し、これら下部底部11と下部側壁部12とにより第１収納部14が形成される。
【００４５】
第２ケーシング20は、上部底部21と、この上部底部21の縁から直立延長された上部側壁部22とを有し、これら上部底部21と上部側壁部22とにより第２収納部24が形成される。ここで、第２ケーシング20は第１ケーシング10と摺動可能に連結されている。第２ケーシング20が第１ケーシング10に対して摺動されることにより、第２ケーシング20の上部底部21が第１ケーシング10の第１収納部14を開閉する。
【００４６】
第３ケーシング30は、第２ケーシング20の第２収納部24を覆うカバー本体部31と、カバー本体部31の縁から伸びて第２収納部24に挿入されるカバー側壁部32とを有する。つまり、第３ケーシング30が第２ケーシング20の第２収納部24を覆うと、カバー側壁部32の外側面は上部側壁部22の内側面と対向する。ここで、第２ケーシング20を第１ケーシング10に対して摺動させて第１収納部14を開けると、同時に第３ケーシング30も上に上がって第２収納部24が開かれる。また、鏡50は第３ケーシング30のカバー本体部31前面に設けられている。
【００４７】
図３及び図４は、それぞれ図１のIII−III及びIV−IVに沿って切断した断面を示す。以下では図３及び図４を参照して第１ケーシング10、第２ケーシング20及び第３ケーシング30の連結構造について詳しく説明する。
【００４８】
図３に示すように、第１ケーシング10は、第１ガイドレール15及び第１ガイドバー16をさらに有し、第２ケーシング20は、第２ガイドレール25及び第２ガイドバー26をさらに有する。ここで、第１ガイドバー16は、第２ガイドレール25と連結し、第２ガイドバー26は、第１ガイドレール15と連結する。その結果、第１ケーシング10及び第２ケーシング20は互いに摺動される。
【００４９】
また、第１ガイドバー16及び第２ガイドバー26は、第１ケーシング10と第２ケーシング20とが互いに摺動する方向（以下、Ｘ軸方向と言う）を基準に互いに反対になる両側に対応してそれぞれ形成される。つまり、第１ケーシング10の第１収納部14が閉められた際には、第１ガイドバー16及び第２ガイドバー26は、それぞれ第１ガイドレール15及び第２ガイドレール25における反対側の両端部に対応して位置する。
【００５０】
第２ガイドバー26は第２ケーシング20の上部底部21縁から第１ケーシング10の下部側壁部12を向かって突出した突起部261と、突起部261の端部から切曲延長されたフック部262とを有する。つまり、フック部262は、突起部261の端部から突起部261の突出方向及びＸ軸方向とそれぞれ交差する方向（以下、Ｙ軸方向と言う）に延長される。
【００５１】
第１ガイドレール15は、第２ガイドバー26の突起部261が挿入される突起挿入部151と、第２ガイドバー26のフック部262がかかるフック係合部152とを有する。また、第１ガイドレール15はＸ軸方向にのびる。
【００５２】
第１ガイドバー16は、第１ケーシング10の下部側壁部12から第２ケーシング20の上部底部21縁に向かって突出した棒部161と、棒部161の端部から第２ガイドレール25の長さ方向と交差する方向（Ｙ軸方向）に突出延長された係合軸162とを有する。
【００５３】
第２ガイドレール25は、第１ガイドバー16の棒部161が挿入される棒挿入部251と、第１ガイドバー16の係合軸162が係合される軸ガイド溝252とを有する。そして、第２ガイドレール25は第１ガイドレール15に平行してのびる。
【００５４】
このような構成によって、第１ガイドバー16は、第２ガイドレール25に連結して第２ガイドレール25に沿って動き、第２ガイドバー26は、第１ガイドレール15に連結して第１ガイドレール15に沿って動く。したがって、第２ケーシング20は、第１ケーシング10と摺動可能に連結される。
【００５５】
図４に示すように、第２ケーシング20は、第２収納部24の内側面から互いに対向突出した一対の回転軸27をさらに有する。そして、第３ケーシング30は、カバー側壁部32の一側端部に第２ケーシング20の回転軸27と回動可能に連結するように形成された軸収容部37をさらに有する。したがって、第３ケーシング30は、軸収容部37を中心に回転軸27に対して回動しながら、第２ケーシング20の第２収納部24を開閉する。
【００５６】
そして、図３に示すように、第３ケーシング30は、Ｘ軸方向と平行なカバー側壁部32に形成された乗降レール35をさらに有する。この時、第１ガイドバー16の係合軸162は、第２ガイドレール25の軸ガイド溝252を貫通してその端部が乗降レール35に連結される。
【００５７】
図５及び図６は本発明の第１実施例による化粧品容器100の作動状態を示す側面図である。
【００５８】
図５及び図６に示すように、第３ケーシング30のカバー側壁部32に形成された乗降レール35と第２ケーシング20の上部底部21との間の距離は漸進的に変わるように形成される。つまり、乗降レール35は、軸収容部37から最も離間した端部が、上部底部21から最も離間するように形成されている。これに反し、軸収容部37から接近するほど乗降レール35は上部底部21に接近し軸収容部37近くで再び折れて上部底部21から離間する。このように乗降レール35の一部が軸収容部37近くで再び離間するように折れることにより、第３ケーシング30が最大にあがった際に安定して支持できる。
【００５９】
このような構成によって、第１ケーシング10と第２ケーシング20とが互いに摺動して第１収納部14が開かれると、第３ケーシング30が軸収容部37を中心に回動し、第２収納部24も同時に開かれる。つまり、第１ケーシング10の第１ガイドバー16が第２ケーシング20の第２ガイドレール25に沿って移動して第１収納部14が開かれると、第１ガイドバー16の係合軸162が第３ケーシング30の乗降レール35に沿って移動しながら第２収納部24も同時に開かれる。したがって、本発明の実施例による化粧品容器100で第１収納部14が開かれることは、その後直ちに第２収納部24も開かれることを意味する。
【００６０】
一方、第１ケーシング10の第１ガイドバー16が第２ケーシング20の第２ガイドレール25に沿って移動して第１収納部14が閉められると、第１ガイドバー16の係合軸162が第３ケーシング30の乗降レール35に沿って移動しながら第２収納部24も同時に閉められる。
【００６１】
また、乗降レール35に連結された第１ガイドバー16の係合軸162が乗降レール35から離脱できるように乗降レール35の縁に離脱口38が形成される。つまり、第１収納部14が閉められた状態で離脱口38は乗降レール35の縁から下側（Ｚ軸方向）へ形成される。そして、離脱口38は軸収容部37から遠い側の縁に形成される。つまり、第１収納部14が閉められた状態における第１ガイドバー16の係合軸162の位置に対応するように形成される。また、第１収納部14が閉められた状態で第３ケーシング30を上に上げて第２収納部24のみ開けることもできる。離脱口38は、係合軸162が簡単に抜けない程度の大きさを有する。したがって、第３ケーシング30が任意に開くことを防止し、使用者が必要に応じて力を与える時にのみ開くようにできる。
【００６２】
また、鏡50が第３ケーシング30のカバー本体部前面に設けられているので、第２収納部24が開かれると、鏡50は第２ケーシング20の上部底部21に対して一定の傾斜角（θ）に配置される。この時、鏡50が有する傾斜角（θ）は第２ケーシング20の上部底部21に対して３０度から７０度である。
【００６３】
図７を参照して本発明の第１実施例の変形例を説明する。図７は化粧品容器100の側面図を示す。
【００６４】
図７に示すように、化粧品容器100は、第１収納部14が閉められた状態で、第１ケーシング10の下部側壁部12の一部と、この下部側壁部12の一部に対向する第２ケーシング20の上部底部21の一部とにそれぞれ磁石61，62が取り付けられている。つまり、化粧品容器100は、第１収納部14が閉められると、第１ケーシング10の磁石61と第２ケーシング20の磁石62とが互いに吸着して固定され、任意に第２ケーシング20が第１ケーシング10に対して摺動することによって不要に第１収納部14が開かれることを防止する。使用者は、必要に応じて力を加えて第２ケーシング20を第１ケーシング10に対して摺動させて第１収納部14を開けることができる。
【００６５】
また、化粧品容器100は、第２収納部20が閉められた状態で、第２ケーシング20の上部側壁部22の一部と、この第２ケーシング20の上部側壁部22の一部に対向する第３ケーシング30のカバー側壁部32の一部とにそれぞれ磁石63，64が取り付けられている。つまり、化粧品容器100は第２収納部24が閉められると第２ケーシング20の磁石63と第３ケーシング30の磁石64とが互いに吸着して固定され、任意に第３ケーシング30が上に上がることにより不要に第２収納部24が開かれることを防止する。使用者は必要に応じて力を加えて第２ケーシング20を第１ケーシング10に対して摺動させると、第１収納部14と共に第２収納部24も開けることができ、第１収納部14は、閉められた状態で第３ケーシング30のみ上に上げて第２収納部24を開けることもできる。
【００６６】
このような本発明の第１実施例による化粧品容器100は、図８に示したように使用することができる。つまり、化粧品容器100は、第１収納部14に粉末化粧品80を収納し、第２収納部24にパフ90を収納する。したがって、使用者が第２ケーシング20を第１ケーシング10に対して摺動させて第１収納部14を開けると、第３ケーシング30が同時に上に上がって第２収納部24も開かれる。また、第３ケーシング30が上に上がって第２収納部24が開かれると、第３ケーシング30の前面に設けられた鏡50は一定の傾斜角を有する。つまり、第１収納部14及び第２収納部24が開かれた状態で使用者が容易に鏡50を見ることができる。
【００６７】
したがって、使用者は簡単な動作で便利に第１収納部14及び第２収納部24を開閉できる。そして、簡単に第２収納部24からパフ90を取り出して第１収納部14の粉末化粧品80で化粧ができる。また、第２収納部24を開きながら第３ケーシング30の前面に設けられた鏡50が所定の傾斜角を有するので、鏡50を見ながら第１収納部14に収納された粉末化粧品80で化粧をすることが非常に容易にある。
【００６８】
図９及び図１０を参照して本発明の第２実施例による化粧品容器200を説明する。図９及び図１０は化粧品容器200の作動状態を示す側面図である。
【００６９】
図９及び図１０に示すように、化粧品容器200は第１ケーシング10、第２ケーシング20、第３ケーシング30、鏡50、そして弾性部材70を有する。
【００７０】
第１ケーシング10は、下部底部11と、下部底部11の縁から直立延長された下部側壁部12とを有し、これら下部底部11と下部側壁部12とが第１収納部14を形成している。
【００７１】
第２ケーシング20は、上部底部21と、上部底部21の縁から直立延長された上部側壁部22とを有し、これら上部底部21と上部側壁部22とが第２収納部24を形成している。ここで、第２ケーシング20は第１ケーシング10と摺動可能に連結している。このように、第２ケーシング20が第１ケーシング10に対して摺動されながら、第２ケーシング20の上部底部21が第１ケーシング10の第１収納部14を開閉する。
【００７２】
第３ケーシング30は、第２ケーシング20の第２収納部24を覆うカバー本体部31（図２に図示）と、カバー本体部31の縁から伸びて第２収納部24に挿入されるカバー側壁部32とを有する。つまり、第３ケーシング30が第２ケーシング20の第２収納部24を覆うと、カバー側壁部32の外側面は上部側壁部22の内側面と対向する。ここで、第２ケーシング20を第１ケーシング10に対して摺動させ第１収納部14を開けると、同時に第３ケーシング30も上に上がって第２収納部24が同時に開かれる。そして、鏡50が３ケーシング30のカバー本体部31前面に設けられている。
【００７３】
また、第１ケーシング10は、第１ガイドレール15及び第１ガイドバー16をさらに有し、第２ケーシング20は、第２ガイドレール25及び第２ガイドバー26をさらに有する。ここで、第１ガイドバー16は第２ガイドレール25と連結し、第２ガイドバー26は第１ガイドレール15と連結する。第１ケーシング10と第２ケーシング20とが相互摺動されながら第１収納部14が開閉される。
【００７４】
また、第２ケーシング20は、第２収納部24の内側面から互いに対向突出した一対の回転軸27をさらに含む。そして、第３ケーシング30は、カバー側壁部32の一側端部に第２ケーシング20の回転軸27と回動可能に連結するように形成された軸収容部37をさらに有する。したがって、第３ケーシング30は、軸収容部37を中心に回転軸27に対して回動しながら第２ケーシング20の第２収納部24を開閉する。
【００７５】
弾性部材70は、第２収納部24に収納され、第２ケーシング20と第３ケーシング30とを互いに押し出し、第３ケーシング30を回動させるように付勢する。つまり、第２ケーシング20と第３ケーシング30との間に斥力を付与する。ここで、弾性部材70としてはねじれコイルスプリングが使用される。つまり、弾性部材70は第２ケーシング20の回転軸27近くに配置され、弾性部材70は、第３ケーシング30を軸収容部37を中心に回動して第２収納部27が開かれる方向に付勢する。
【００７６】
また、第３ケーシング30は、Ｘ軸方向に平行するカバー側壁部32の軸収容部37から遠い縁に形成された係合溝39をさらに含む。そして、第１収納部14が閉められた状態で第１ガイドバー16の係合軸162は第２ガイドレール25の軸ガイド溝252（図４に図示）を貫通して第３ケーシング30の係合溝39に係合する。したがって、弾性部材70が第２ケーシング20と第３ケーシング30との間に斥力が与えられても、第１収納部14が閉められた状態では第２収納部24は開かれない。
【００７７】
しかし、第１ケーシング10と第２ケーシング20とが互いに摺動して第１収納部14が開かれると、係合軸162も第２ガイドレール25に沿って移動する。係合軸162は、第３ケーシング30の係合溝39から離脱する。したがって、弾性部材70によって第３ケーシング30は軸収容部37を中心に回動して第２収納部24が開かれる。
【００７８】
また、第２ケーシング20は、第２収納部24の内側面から突出したストッパ29をさらに含む。ストッパ29は、第３ケーシング30の回動を制限して第３ケーシング30が第２ケーシング20に対して一定の傾斜角（θ）を有するようにする。つまり、第２収納部24が開かれた時、第３ケーシング30の前面に付着された鏡50は、第２ケーシング20の上部底部21に対して３０度から７０度の傾斜角（θ）を有するように形成される。
【００７９】
このような構成によって、第１ケーシング10と第２ケーシング20とが互いに摺動して第１収納部14が開かれると、第３ケーシング30が軸収容部37を中心に回動して上がり、第２収納部24も同時に開かれる。つまり、第１ケーシング10の第１ガイドバー16が第２ケーシング20の第２ガイドレール25に沿って移動して第１収納部14が開かれると、第１ガイドバー16の係合軸162が第３ケーシング30の係合溝39から離脱しながら、弾性部材70によって第２収納部24も同時に開かれる。したがって、使用者は簡単な動作で第１収納部14及び第２収納部24を同時に開けることができる。
【００８０】
本発明を前記のように説明したが、特許請求の範囲の概念と範囲を逸脱しない限り、多様な修正及び変形が可能であるということを本発明が属する技術分野に務める者であれば簡単に理解できる。
【図面の簡単な説明】
【００８１】
【図１】本発明の化粧品容器における第１実施例の斜視図である。
【図２】本発明の化粧品容器における第１実施例の斜視図である。
【図３】図１のIII−III線による断面図である。
【図４】図１のIV−IV線による断面図である。
【図５】図１の化粧品容器の作動状態を示す側面図である。
【図６】図２の化粧品容器の作動状態を示す側面図である。
【図７】本発明の第１実施例の変形例による化粧品容器の側面図である。
【図８】図１の化粧品容器が使用される態様を示す斜視図である。
【図９】本発明の第２実施例による化粧品容器の作動状態を示す側面図である。
【図１０】本発明の第２実施例による化粧品容器の作動状態を示す側面図である。
【符号の説明】
【００８２】
10 第１ケーシング
11 下部底部
12 下部側壁部
14 第１収納部
15 第１ガイドレール
16 第１ガイドバー
20 第２ケーシング
21 上部底部
22 上部側壁部
24 第２収納部
25 第２ガイドレール
26 第２ガイドバー
27 回転軸
29 ストッパ
30 第３ケーシング
31 カバー本体部
32 カバー側壁部
35 乗降レール
37 軸収容部
38 離脱口
39 係合溝
50 鏡
61 磁石
62 磁石
63 磁石
64 磁石
70 弾性部材
80 粉末化粧品
90 パフ
100 化粧品容器
151 突起挿入部
152 フック係合部
161 棒部
162 係合軸
200 化粧品容器
251 棒挿入部
252 軸ガイド溝
261 突起部
262 フック部
【国際調査報告】
2009527317.tif 000013
2009527317.tif 000014